(57)【要約】      （修正有）【課題】連帳紙の搬送方向に対して直交する方向の連帳紙の位置補正に起因して連帳紙に生じる傷の発生を抑制することができる搬送装置、及び画像形成装置を得る。【解決手段】搬送される連帳紙Ｐの表面に斜行ロール６２の外周面６２Ｂが接触することで斜行ロール６２が回転する。斜行ロール６２が回転することで、搬送される連帳紙Ｐの縁部がサイドガイドに突き当てられる。これにより、主走査方向における連帳紙Ｐの位置ずれが補正される。外周面６２Ｂの断面形状が円弧状とされているため、角部６２Ｄと連帳紙Ｐの表面とが接触しない。このように、主走査方向の連帳紙Ｐの位置補正に起因して連帳紙Ｐに発生する傷が抑制される。【選択図】図１
2014019549.tif 000002
【特許請求の範囲】
【請求項１】
連帳紙に搬送力を付与する付与部材と、
連帳紙の搬送経路において前記付与部材に対して前記連帳紙の搬送方向の上流側に配置され、前記搬送方向に対して直交する直交方向から見て湾曲され連帳紙が接触する湾曲面が形成される湾曲部材と、
前記湾曲部材に対して、前記直交方向の一方側に配置され、搬送される前記連帳紙の縁部が突き当てられる突き当て部材と、
前記湾曲面に形成された開口から前記搬送経路側に一部が突出するように配置され、回転軸が前記直交方向に対して傾斜し、外周面で前記連帳紙と接触しながら回転し、前記縁部を前記規制部材に突き当てると共に、前記外周面における回転軸方向の中央側が端部側に対して径方向の外側に突出している回転部材と、
を備える搬送装置。
【請求項２】
前記回転軸に沿って切断した切断面において前記外周面は、曲線状とされる請求項１に記載の搬送装置。
【請求項３】
前記回転軸に沿って切断した切断面において前記外周面は、円弧状とされる請求項２に記載の搬送装置。
【請求項４】
請求項１〜３の何れか１項に記載された搬送装置と、
前記搬送装置に備えられた搬送経路において、前記湾曲部材に対して前記連帳紙の搬送方向の下流側に配置され、搬送される前記連帳紙に画像を形成する画像形成部材と、
を備える画像形成装置。
【発明の詳細な説明】
【技術分野】
【０００１】
本発明は、搬送装置、及び画像形成装置に関する。
【背景技術】
【０００２】
特許文献１には、連帳紙に画像を形成する画像形成装置が記載されている。この画像形成装置は、連帳紙に画像を記録する記録手段の下流側に配設されたドライブローラ部と、この記録手段の上流側に配設されたバックテンションローラ部と、を備え、バックテンションローラ部においては、前進時においては、後退時よりも小さなピンチ圧で連帳紙を挟むようになっている。
【先行技術文献】
【特許文献】
【０００３】
【特許文献１】特開２００５−２６２７３８号公報
【発明の概要】
【発明が解決しようとする課題】
【０００４】
本発明の課題は、連帳紙の搬送方向に対して直交する方向の連帳紙の位置補正に起因して連帳紙に発生する傷を抑制することである。
【課題を解決するための手段】
【０００５】
本発明の請求項１に係る搬送装置は、連帳紙に搬送力を付与する付与部材と、連帳紙の搬送経路において前記付与部材に対して前記連帳紙の搬送方向の上流側に配置され、前記搬送方向に対して直交する直交方向から見て湾曲され連帳紙が接触する湾曲面が形成される湾曲部材と、前記湾曲部材に対して、前記直交方向の一方側に配置され、搬送される前記連帳紙の縁部が突き当てられる突き当て部材と、前記湾曲面に形成された開口から前記搬送経路側に一部が突出するように配置され、回転軸が前記直交方向に対して傾斜し、外周面で前記連帳紙と接触しながら回転し、前記縁部を前記規制部材に突き当てると共に、前記外周面における回転軸方向の中央側が端部側に対して径方向の外側に突出している回転部材と、を備えることを特徴とする。
【０００６】
本発明の請求項２に係る搬送装置は、請求項１に記載の搬送装置において、前記回転軸に沿って切断した切断面において前記外周面は、曲線状とされることを特徴とする。
【０００７】
本発明の請求項３に係る搬送装置は、請求項２に記載の搬送装置において、前記回転軸に沿って切断した切断面において前記外周面は、円弧状とされることを特徴とする。
【０００８】
本発明の請求項４に係る画像形成装置は、請求項１〜３の何れか１項に記載された搬送装置と、前記搬送装置に備えられた搬送経路において、前記湾曲部材に対して前記連帳紙の搬送方向の下流側に配置され、搬送される前記連帳紙に画像を形成する画像形成部材と、を備えることを特徴とする。
【発明の効果】
【０００９】
本発明の請求項１の搬送装置によれば、回転部材が円柱状である場合と比して、連帳紙の搬送方向に対して直交する方向の連帳紙の位置補正に起因して連帳紙に発生する傷を抑制することができる。
【００１０】
本発明の請求項２の搬送装置によれば、回転軸に沿って切断した切断面において回転部材の外周面に角部が形成されている場合と比して、連帳紙に発生する傷を抑制することができる。
【００１１】
本発明の請求項３の搬送装置によれば、回転軸に沿って切断した切断面において外周面が、複数のＲから構成される曲線状である場合と比して、回転部材を容易に製造することができる。
【００１２】
本発明の請求項４の画像形成装置によれば、請求項１〜３の何れか１項に記載の搬送装置を備えていない場合と比して、出力画像の品質の低下を抑制することができる。
【図面の簡単な説明】
【００１３】
【図１】本発明の実施形態に係る補正機構に採用された斜行ロールを示した断面図である。
【図２】本発明の実施形態に係る補正機構を示した図面である。
【図３】本発明の実施形態に係る補正機構を示した斜視図である。
【図４】本発明の実施形態に係る補正機構を示した断面図である。
【図５】本発明の実施形態に係る画像形成装置を示した概略構成図である。
【発明を実施するための形態】
【００１４】
本発明の実施形態に係る搬送装置、及びこの搬送装置を備えた画像形成装置の一例を図１〜図５に従って説明する。
【００１５】
（全体構成）
画像形成装置１０は、図５に示されるように、搬送される長尺状の連帳紙Ｐにトナー画像を形成する画像形成部材の一例としての画像形成部１２と、画像形成部１２に対して連帳紙Ｐの搬送方向の下流側に配置され、連帳紙Ｐに形成されたトナー画像を加熱定着する定着部１４と、定着部１４に対して連帳紙Ｐの搬送方向の下流側に配置され、連帳紙Ｐに駆動力を付与する搬送部１６と、画像形成部１２に対して連帳紙Ｐの搬送方向の上流側に配置され、画像形成部１２を通過する連帳紙Ｐに対して張力を付与し、かつ、連帳紙Ｐの搬送方向に対して直交する方向（主走査方向）の連帳紙Ｐの位置ずれを補正する送出部１８と、を備えている。さらに、画像形成装置１０は、連帳紙Ｐの搬送経路５０に沿って連帳紙Ｐを案内する搬送ガイド４８を複数備えている。
【００１６】
また、画像形成装置１０は、装置本体の一例としての筐体２２、及び筐体２４を備えており、画像形成部１２及び送出部１８は筐体２２の内部に、定着部１４及び搬送部１６は筐体２４の内部に配置されている。
【００１７】
なお、連帳紙Ｐを搬送する搬送装置２０は、搬送部１６と送出部１８とを含んで構成されている。なお、送出部１８については、詳細を後述する。
【００１８】
〔画像形成部〕
画像形成部１２は、図中矢印Ｂ方向に回転する円柱状の像保持体２８と、像保持体２８を帯電する帯電ロール３０と、帯電ロール３０に対して像保持体２８の回転方向の下流側で帯電後の像保持体２８を露光して静電潜像を形成する露光部材３２と、露光部材３２に対して像保持体２８の回転方向の下流側で像保持体２８に形成された静電潜像をトナーによりトナー画像として現像する現像部材３４と、現像部材３４に対して像保持体２８の回転方向の下流側で像保持体２８上に形成されたトナー画像を連帳紙Ｐの表面に転写する転写部材３６と、を備えている。
【００１９】
転写部材３６は、像保持体２８と対向して配置され、像保持体２８と転写部材３６との間が、連帳紙Ｐにトナー画像を転写する転写位置Ｔとされている。
【００２０】
また、画像形成部１２は、連帳紙Ｐが転写位置Ｔを通過するように、転写位置Ｔに対して連帳紙Ｐの搬送方向の上流側及び下流側に配置された側面視楕円状のガイド部材３８を複数備えている。このガイド部材３８は、連帳紙Ｐが転写位置Ｔを通過するように、連帳紙Ｐの裏面に接触している。
【００２１】
〔定着部〕
定着部１４は、連帳紙Ｐの搬送方向に対して直交する方向に沿って延び、連帳紙Ｐの搬送方向に並べられたフラッシュランプ４０を複数備えている。このフラッシュランプ４０は、連帳紙Ｐの表面と対向して非接触に配置されている。そして、トナー画像がフラッシュランプ４０と対向する位置を通過する際に、トナー画像を連帳紙Ｐに定着するフラッシュランプ４０が、点灯するようになっている。
【００２２】
〔搬送部〕
搬送部１６は、図示せぬモータから回転力が伝達されて図中矢印Ｃ方向に回転して連帳紙Ｐに搬送力を付与する付与部材の一例としての駆動ロール４２と、駆動ロール４２の図中上側に配置され、駆動ロール４２との間で連帳紙Ｐを挟み込むピンチロール４６と、駆動ロール４２の図中右側（定着部１４側）に配置され、駆動ロール４２に対する連帳紙Ｐの巻き付け量を規定する巻付けロール４４と、を備えている。
【００２３】
（全体構成の作用）
次に、この画像形成装置１０を用いて連帳紙Ｐに画像を形成する画像形成動作について説明する。
【００２４】
画像形成動作の開始に伴い、駆動ロール４２が回転して連帳紙Ｐが搬送経路５０に沿って搬送される。
【００２５】
一方、画像形成動作の開始に伴い画像形成部１２では、像保持体２８が、矢印Ｂ方向に回転し、帯電ロール３０が、回転する像保持体２８の表面を帯電する。さらに、露光部材３２が、帯電した像保持体２８を露光して像保持体２８の表面に静電潜像を形成する。
【００２６】
現像部材３４が、像保持体２８の表面に形成された静電潜像を現像してトナー画像として可視化する。さらに、転写部材３６が、像保持体２８の表面に形成されたトナー画像を、転写位置Ｔを通過する連帳紙Ｐの表面に転写する。
【００２７】
定着部１４では、フラッシュランプ４０が、トナー画像が転写された連帳紙Ｐの表面に向けて光を照射し、トナー画像を加熱してトナー画像を連帳紙Ｐに定着する。トナー画像が定着した連帳紙Ｐは、搬送部１６を通過して画像形成装置１０の外部へと排出される。これにより、一連の画像形成動作が終了する。
【００２８】
（要部構成）
次に、送出部１８について説明する。
【００２９】
送出部１８は、連帳紙Ｐの裏面に接触して連帳紙Ｐに張力を付与する張力付与ロール５６と、張力付与ロール５６に対して連帳紙Ｐの搬送方向（以下「副走査方向」と記載する）の下流側に配置され、副走査方向に対して直交する方向（以下「主走査方向」と記載する）の連帳紙Ｐの位置ずれを補正する補正機構５８と、を備えている。
【００３０】
〔補正機構〕
補正機構５８は、図３、図４に示されるように、主走査方向から見て湾曲状されると共に連帳紙Ｐの表面が接触する湾曲面６０Ａが形成された湾曲板状の湾曲部材の一例としての湾曲ガイド６０と、主走査方向における湾曲ガイド６０の一端部に取り付けられ、連帳紙Ｐの縁部が突き当てられる扇状の突き当て部材の一例としてのサイドガイド６４と、を備えている。この湾曲面６０Ａにおける副走査方向の中央側には、主走査方向に並ぶ複数の開口の一例としての矩形開口６０Ｂが形成されている。
【００３１】
また、補正機構５８は、夫々の矩形開口６０Ｂから連帳紙Ｐ側（搬送経路５０側）に一部が突出するように配置され、図示せぬフレーム部材に回転可能に支持される回転部材の一例としての斜行ロール６２を備えている。
【００３２】
矩形開口６０Ｂが形成された部位の湾曲面６０Ａに対して直交する方向から見ると（法線方向から見ると）、図２に示されるように、斜行ロール６２の回転軸６２Ａは、主走査方向（図中矢印Ｄ方向）に対して傾斜している。この構成において、搬送される連帳紙Ｐの表面に斜行ロール６２の外周面６２Ｂが接触することで斜行ロール６２が回転し、搬送される連帳紙Ｐの縁部がサイドガイド６４に突き当てられるようになっている。
【００３３】
また、回転軸６２Ａに沿って斜行ロール６２を切断すると、図１に示されるように、斜行ロール６２の外周面６２Ｂの断面形状は、回転軸方向の中央側が径方向外側に突出するように円弧状とされている。これにより、斜行ロール６２の側面６２Ｃと外周面６２Ｂとが接する角部６２Ｄと、連帳紙Ｐの表面とが接触しないようになっている。
【００３４】
（要部構成の作用）
次に、要部構成の作用について説明する。
【００３５】
画像形成装置１０による画像形成動作に伴い、駆動ロール４２が、回転して連帳紙Ｐを搬送経路５０に沿って搬送する。また、張力付与ロール５６が連帳紙Ｐに張力を付与し、張力が付与された連帳紙Ｐは、湾曲ガイド６０の湾曲面６０Ａに接触しながら（押し付けられながら）搬送される。
【００３６】
連帳紙Ｐが湾曲面６０Ａを通過する際に、搬送される連帳紙Ｐの表面に斜行ロール６２の外周面６２Ｂが接触することで斜行ロール６２が回転する。斜行ロール６２が回転することで、搬送される連帳紙Ｐの縁部がサイドガイド６４に突き当てられる。これにより、主走査方向における連帳紙Ｐの位置ずれが補正される。
【００３７】
ここで、連帳紙Ｐの表面に外周面６２Ｂが接触することで斜行ロール６２が回転する際には、図１に示されるように、外周面６２Ｂの断面形状が円弧状とされているため、前述したように、角部６２Ｄと連帳紙Ｐの表面とが接触しない。
【００３８】
これにより、角部６２Ｄと連帳紙Ｐとが接触する場合と比して、主走査方向の連帳紙Ｐの位置補正に起因して連帳紙Ｐに発生する傷が抑制される。
【００３９】
また、連帳紙Ｐに発生する傷を抑制されるため、画像形成装置１０による出力画像の品質の低下が抑制される。
【００４０】
また、外周面６２Ｂの断面が円弧状とされているため、例えば、外周面の断面が複数のＲから構成される曲線状である場合と比して、斜行ロール６２が容易に製造される。
【００４１】
なお、本発明を特定の実施形態について詳細に説明したが、本発明はかかる実施形態に限定されるものではなく、本発明の範囲内にて他の種々の実施形態をとることが可能であることは当業者にとって明らかである。例えば、角部６２Ｄと連帳紙Ｐの表面とが接触しない場合を例にとって説明したが、接触していてもよく、外周面６２Ｂを円弧状とすることで、角部６２Ｄと連帳紙Ｐの表面とが接触圧力が、斜行ロールが円柱状の場合と比して、低減していればよい。
【００４２】
また、上記実施形態では、外周面６２Ｂの断面形状を円弧状としたが特に円弧状に限定されず、曲線状であればよい。この場合には、外周面の断面に角部が形成される場合と比して、連帳紙Ｐに発生する傷が抑制される。
【００４３】
また、上記実施形態では、外周面６２Ｂの断面形状を円弧状としたが特に円弧状に限定されず、外周面における回転軸方向の中央側が端部側に対して径方向の外側に突出してればよい。この場合には、斜行ロールの角部が連帳紙Ｐの表面に接触するのが抑制される。このため、斜行ロールが円柱状である場合と比して、連帳紙Ｐに発生する傷が抑制される。例えば、円筒状のロールの角部にＲを形成させてもよく、また、円筒状のロールの角部にチャンフャーを形成させてもよい。
【００４４】
なお、上記実施形態では、張力付与ロール５６について具体的に説明しなかったが、張力付与ロール５６に対向するように対向ロールを配置させ、この対向ロールに張力付与ロール５６を用いて連帳紙Ｐをピンチして、連帳紙Ｐに張力を付与してもよい。
【符号の説明】
【００４５】
１０          画像形成装置
１２          画像形成部（画像形成部材の一例）
２０          搬送装置
４２          駆動ロール（付与部材の一例）
５０          搬送経路
６０          湾曲ガイド（湾曲部材の一例）
６０Ａ        湾曲面
６０Ｂ        矩形開口（開口の一例）
６２          斜行ロール（回転部材の一例）
６２Ａ        回転軸
６２Ｂ        外周面
６４          サイドガイド（突き当て部材の一例）
【図１】
2014019549.tif 000003
【図２】
2014019549.tif 000004
【図３】
2014019549.tif 000005
【図４】
2014019549.tif 000006
【図５】
2014019549.tif 000007